(57)【要約】【課題】電池の充電が可能な撮像装置において、所定の動作モードにおいて電池の発熱により動作が制限されないように制御する。【解決手段】電池の充電が可能な撮像装置において、給電機器との接続が可能な接続手段と、前記電池の充電を行う充電制御手段と、前記撮像装置の各部への電力供給を行う電源制御手段と、前記給電機器が接続されたことを検出する検出手段と、前記検出手段により前記給電機器が接続されたことが検出された場合に、前記撮像装置の動作モードが熱による動作制限を受ける動作モードであるか否かに応じて、前記給電機器から受け取った電力を用いた前記電池の充電および前記撮像装置への給電を制御する制御手段と、を有する。【選択図】図３
2019087891.tif 000002
【特許請求の範囲】
【請求項１】
電池の充電が可能な撮像装置において、
給電機器との接続が可能な接続手段と、
前記電池の充電を行う充電制御手段と、
前記撮像装置の各部への電力供給を行う電源制御手段と、
前記給電機器が接続されたことを検出する検出手段と、
前記検出手段により前記給電機器が接続されたことが検出された場合に、前記撮像装置の動作モードが熱による動作制限を受ける動作モードであるか否かに応じて、前記給電機器から受け取った電力を用いた前記電池の充電および前記撮像装置への給電を制御する制御手段と、を有することを特徴とする撮像装置。
【請求項２】
前記制御手段は、前記撮像装置の動作モードが動画撮影モードである場合、前記給電機器から受け取った電力を用いた前記電池の充電を行わず、前記撮像装置への給電を行う第１の制御を行い、前記撮像装置の動作モードが動画撮影モードではない場合、前記給電機器から受け取った電力を用いた前記電池の充電と前記撮像装置への給電を行う第２の制御を行うことを特徴とする請求項１に記載の撮像装置。
【請求項３】
前記撮像装置の内部の温度を検出する温度検出手段をさらに有し、
前記制御手段は、前記撮像装置の動作モードが動画撮影モードである場合、前記温度検出手段により検出された温度に基づいて前記給電機器から受け取った電力を用いた前記電池の充電および前記撮像装置への給電を制御することを特徴とする請求項１に記載の撮像装置。
【請求項４】
前記制御手段は、前記撮像装置の動作モードが動画撮影モードにおいて、前記温度検出手段により検出された温度が第１の温度以上である場合、前記給電機器から受け取った電力を用いた前記電池の充電を行わず、前記撮像装置への給電を行う第１の制御を行い、前記温度検出手段により検出された温度が前記第１の温度未満である場合、前記給電機器から受け取った電力を用いた前記電池の充電を前記第１の温度未満の条件で行い、前記撮像装置への給電を行う第２の制御を行うことを特徴とする請求項３に記載の撮像装置。
【請求項５】
前記撮像装置に接続された給電機器の電力供給能力を判定する接続先判定手段をさらに有し、
前記制御手段は、前記撮像装置の動作モードが動画撮影モードである場合、前記接続先判定手段により判定された前記給電機器の電力供給能力に基づいて前記給電機器から受け取った電力を用いた前記電池の充電および前記撮像装置への給電を制御することを特徴とする請求項１に記載の撮像装置。
【請求項６】
前記制御手段は、前記撮像装置の動作モードが動画撮影モードにおいて、前記接続先判定手段により判定された前記給電機器の電力供給能力が第１の電力値以上である場合、前記給電機器から受け取った電力のうち前記第１の電力値よりも小さい第２の電力値を用いて前記電池の充電を行い、残りの電力を用いて前記撮像装置への給電を行う第４の制御を行い、前記接続先判定手段により判定された前記給電機器の電力供給能力が前記第２の電力値以上である場合、前記給電機器から受け取った電力のうち前記第２の電力値を用いて前記電池の充電を行い、前記撮像装置への給電は行わない第５の制御を行い、前記第２の電力値未満である場合、前記給電機器から受け取った電力を用いて前記電池の充電を行い、前記撮像装置への給電は行わない第６の制御を行うことを特徴とする請求項５に記載の撮像装置。
【請求項７】
撮影された動画を記録するときの条件を設定する設定手段をさらに有し、
前記制御手段は、前記撮像装置の動作モードが動画撮影モードである場合、前記設定手段により設定された条件に基づいて前記給電機器から受け取った電力を用いた前記電池の充電および前記撮像装置への給電を制御することを特徴とする請求項１に記載の撮像装置。
【請求項８】
前記条件は、記録される動画の解像度であり、
前記制御手段は、前記撮像装置の動作モードが動画撮影モードにおいて、前記設定手段により設定された解像度が第１の解像度以上である場合、前記給電機器から受け取った電力を用いた前記電池の充電を行わず、前記撮像装置への給電を行う第１の制御を行い、前記設定手段により設定された解像度が前記第１の解像度よりも小さい第２の解像度以上である場合には、第１の時間が経過するまで前記給電機器から受け取った電力を用いた前記電池の充電を行い、前記撮像装置への給電を行う第７の制御を行い、前記設定手段により設定された解像度が前記第２の解像度よりも小さい第３の解像度以上である場合、前記第１の時間より長い第２の時間が経過するまで前記給電機器から受け取った電力を用いた前記電池の充電を行い、前記撮像装置への給電を行う第８の制御を行い、前記設定手段により設定され解像度が前記第３の解像度未満である場合、前記給電機器から受け取った電力を用いた前記電池の充電と前記撮像装置への給電を行う第２の制御を行うことを特徴とする請求項７に記載の撮像装置。
【請求項９】
前記条件は、記録される動画のフレームレートを含み、
前記制御手段は、前記設定手段により設定された解像度が第１の解像度以上であって、前記フレームレートが第１のレート以上の場合に、前記第１の制御を行い、
前記設定手段により設定された解像度が前記第２の解像度以上であって、前記フレームレートが第１のレート以上の場合または前記設定手段により設定された解像度が前記第１の解像度以上であっても前記フレームレートが前記第１のレート未満の場合に、前記第７の制御を行い、前記設定手段により設定された解像度が前記第２の解像度以上であっても前記フレームレートが第１のレート未満の場合に、前記第８の制御を行い、前記設定手段により設定された解像度が前記第３の解像度以上であって、前記フレームレートが第１のレート以上の場合に、前記第８の制御を行い、前記設定手段により設定された解像度が前記第３の解像度以上であっても前記フレームレートが前記第１のレート未満の場合に、前記第２の制御を行うことを特徴とする請求項８に記載の撮像装置。
【請求項１０】
電池の充電が可能な撮像装置の制御方法であって、
給電機器が接続されたことを検出する検出ステップと、
前記給電機器が接続されたことが検出された場合に、前記撮像装置の動作モードが熱による動作制限を受ける動作モードであるか否かに応じて、前記給電機器から受け取った電力を用いた前記電池の充電および前記撮像装置への給電を制御する制御ステップと、を有することを特徴とする制御方法。
【請求項１１】
電池の充電が可能な撮像装置で用いられるプログラムであって、
コンピュータを、
給電機器が接続されたことを検出する検出手段と、
前記検出手段により前記給電機器が接続されたことが検出された場合に、前記撮像装置の動作モードが熱による動作制限を受ける動作モードであるか否かに応じて、前記給電機器から受け取った電力を用いた前記電池の充電および前記撮像装置への給電を制御する制御手段
として機能させるためのプログラム。
【発明の詳細な説明】
【技術分野】
【０００１】
本発明は、電池の充電が可能な撮像装置、その制御方法およびそれらに関するプログラムに関するものである。
【背景技術】
【０００２】
撮像装置等の電子機器内にある電池を充電する場合、電池の充電による発熱の影響を受けて電子機器の発熱量が増加することがある。デジタルカメラ等の撮像装置では、温度上昇による画質劣化、動作保証外温度への移行、安全規格外温度への移行を懸念して温度に応じた動作制限が設けられている。例えば、動画撮影モードの場合、温度上昇による動作制限は動画記録時間に影響し、装置内の電池の充電による発熱によって装置内部の温度上昇速度が早まるため、動画記録時間が短縮されてしまうことがある。
【０００３】
特許文献１には、所定の動作モードである場合に、無線給電に関する制御を変えるための通信を行う方法が記載されている。特許文献２には、携帯端末機の内部発熱温度が所定温度以上の場合は、発熱制限モードとなり、充電電流、ビデオフレームレートまたは解像度を下げる制御を行う方法が記載されている。
【先行技術文献】
【特許文献】
【０００４】
【特許文献１】特開２０１３−１２１２９３号公報
【特許文献２】特表２０１５−５０２０６７号公報
【発明の概要】
【発明が解決しようとする課題】
【０００５】
しかしながら、特許文献１に記載された方法では、動画撮影モード時は無線給電が停止してしまう。そのため、特許文献１に記載された方法では、電池の充電は停止するが電子機器への給電を継続するような制御はできない。また、特許文献２に記載された方法では、所定温度以上である場合は充電電流を下げるという充電制御を行うことで、電池の充電制御は変更できるが電子機器への給電を継続することはできない。
【０００６】
そこで、本発明は、電池の充電が可能な撮像装置において、所定の動作モードにおいて電池の発熱により動作が制限されないように制御することを目的とする。
【課題を解決するための手段】
【０００７】
上記目的を達成するために、本発明に係る撮像装置は、電池の充電が可能な撮像装置において、給電機器との接続が可能な接続手段と、前記電池の充電を行う充電制御手段と、前記撮像装置の各部への電力供給を行う電源制御手段と、前記給電機器が接続されたことを検出する検出手段と、前記検出手段により前記給電機器が接続されたことが検出された場合に、前記撮像装置の動作モードが熱による動作制限を受ける動作モードであるか否かに応じて、前記給電機器から受け取った電力を用いた前記電池の充電および前記撮像装置への給電を制御する制御手段と、を有する。
【発明の効果】
【０００８】
本発明によれば、電池の充電が可能な撮像装置において、所定の動作モードにおいて電池の発熱により動作が制限されないように制御することができる。
【図面の簡単な説明】
【０００９】
【図１】実施形態１および他の実施形態における撮像装置１００の外観の一例を示す図である。
【図２】実施形態１および他の実施形態における撮像装置１００の構成要素を説明するためのブロック図である。
【図３】実施形態１における充電制御方法を説明するためのフローチャートである。
【図４】実施形態２における充電制御方法を説明するためのフローチャートである。
【図５】給電機器の種別と電力供給能力の関係の一例を示す図である。
【図６】実施形態３における充電制御方法を説明するためのフローチャートである。
【図７】実施形態４における充電制御方法を説明するためのフローチャートである。
【発明を実施するための形態】
【００１０】
以下、図面を参照して本発明の実施形態を説明する。ただし、本発明は以下の実施形態に限定されるものではない。
【００１１】
＜装置構成＞まず、図１および図２を参照して、本実施形態の撮像装置１００の外観および構成について説明する。
【００１２】
図１は、本実施形態における撮像装置１００の外観の一例を示す図である。
【００１３】
撮像装置１００は、デジタルカメラに限らず、カメラ機能付きの携帯電話（例：スマートフォン）、携帯端末（例：タブレット端末）またはそれらの少なくとも一つとしても動作可能である。
【００１４】
表示部１０１は画像および各種情報を表示する液晶パネル（ＬＣＤ）等からなる。シャッタースイッチ１０２、モード切替スイッチ１０３、操作部１０４は、ユーザ操作を受け付け、システム制御部２０８に各種の動作指示を入力するための操作部材である。シャッタースイッチ１０２は撮影指示を行う。モード切替スイッチ１０３は、撮像装置１００の動作モードを切り替える。
【００１５】
電池１０５は、リチウムイオン電池等の充電可能な電池であり、撮像装置１００に対して着脱可能である。電池１０５は、撮像装置１００の各構成要素に電力を供給する電源部である。また、電池１０５は、コネクタ１０８およびケーブル１０９を介して接続された給電機器１１０から供給される電力を用いて充電することが可能である。電池スロット１０６は電池１０５を格納するためのスロットである。蓋１０７は電池スロット１０６の蓋である。図１では、蓋１０７を開けて電池スロット１０６から電池１０５の一部を取り出して露出させた状態を示している。コネクタ１０８はケーブル１０９と撮像装置１００とを接続するインターフェースである。
【００１６】
コネクタ１０８およびケーブル１０９は、例えばユニバーサル・シリアル・バス（ＵＳＢ）規格に準拠している、Ｔｙｐｅ−Ａ、Ｔｙｐｅ−Ｂ、Ｔｙｐｅ−Ｃ等のコネクタ（以下、ＵＳＢコネクタ）およびケーブル（以下、ＵＳＢケーブル）である。給電機器１１０は、例えばＵＳＢコネクタ１０８およびＵＳＢケーブル１０９を介して接続された機器に電力供給可能である。給電機器１１０は、例えば、パーソナルコンピュータ（ＰＣ）、携帯用バッテリ等である。給電機器１１０がＵＳＢコネクタ１０８およびＵＳＢケーブル１０９を介して撮像装置１００に接続されると、給電機器１１０（ソース）と撮像装置１００（シンク）が相互に通信を行い、互いの役割および撮像装置１００へ供給する電力量等を決定する。撮像装置１００は給電機器１１０から供給される電力を用いて各構成要素への電力供給および電池１０５への充電が可能となる。なお、撮像装置１００と給電機器１１０の接続はＵＳＢに限らず、データ通信と電力供給が可能な様々なインターフェース方式が適用可能である。
【００１７】
図２は、本実施形態における撮像装置１００の構成要素を説明するためのブロック図である。
【００１８】
撮像部２０１は不図示の光学系を通じて結像される被写体の光学像を電気信号に変換するＣＣＤ、ＣＭＯＳ等で構成される撮像素子である。Ａ／Ｄ変換部２０２は、アナログ信号をデジタル信号に変換する。Ａ／Ｄ変換部２０２は、撮像部２０１から出力されるアナログ信号をデジタル信号に変換するために用いられる。
【００１９】
画像処理部２０３は、Ａ／Ｄ変換部２０２からのデータ、または、メモリ制御部２０４からのデータに対し所定の画素補間、縮小といったリサイズ処理、色変換処理を行う。また、画像処理部２０３では、撮像した画像データを用いて所定の演算処理が行われ、得られた演算結果に基づいてシステム制御部２０８が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０３ではさらに、撮像した画像データを用いて所定の演算処理を行い、得られた演算結果に基づいてＴＴＬ方式のＡＷＢ（オートホワイトバランス）処理も行っている。また、画像処理部２０３は、撮像部２０１により生成され、所定の画像処理が施された画像データ（静止画、動画）を、所定の形式（例：ＪＰＥＧ、Ｈ．２６４）で圧縮符号化して画像ファイルを生成する静止画記録処理または動画記録処理を行う。
【００２０】
メモリ制御部２０４は、メモリ２０５と外部メモリ２０６に対するデータの書き込み、読み出しを制御する。Ａ／Ｄ変換部２０２からの出力データは、画像処理部２０３およびメモリ制御部２０４を介して、或いは、メモリ制御部２０４を介してメモリ２０５に直接書き込まれる。
【００２１】
メモリ２０５は、撮像部２０１によって得られ、Ａ／Ｄ変換部２０２によりデジタルデータに変換された画像データ、表示部１０１に表示するための画像データを格納する。メモリ２０５は、所定枚数の静止画、所定時間の動画および音声を格納するのに十分な記憶容量を備えている。
【００２２】
外部メモリ２０６は、所定の形式の画像ファイルを記録するためのメモリカード等の記録媒体であり、半導体メモリまたは磁気ディスク等から構成される。外部メモリ２０６は、撮像装置１００に対して着脱可能である。
【００２３】
不揮発性メモリ２０７は、電気的に消去・記憶可能なメモリであり、例えばＥＥＰＲＯＭ等が用いられる。不揮発性メモリ２０７には、システム制御部２０８の動作用の定数、プログラム等が記憶される。ここでいう、プログラムとは、本実施形態にて後述する各種フローチャートを実行するためのプログラムのことである。
【００２４】
システム制御部２０８は、撮像装置１００全体を制御する。システム制御部２０８は、不揮発性メモリ２０７に記憶されたプログラムを実行することで、後述する本実施形態のフローチャートの各処理を実現する。２０９はシステムメモリであり、ＲＡＭが用いられる。システムメモリ２０９には、システム制御部２０８の動作用の定数、変数、不揮発性メモリ２０７から読み込んだプログラム等を展開する。また、システム制御部２０８は、メモリ制御部２０４、メモリ２０５、表示部１０１等を制御することにより表示制御も行う。
【００２５】
接続検出部２１０は、ＵＳＢコネクタ１０８に対してＵＳＢケーブル１０９および給電機器１１０が接続された状態を検出する。
【００２６】
充放電制御部２１１は、接続検出部２１０により検出された給電機器１１０の接続状態およびシステム制御部２０８の動作モードに応じて、電池１０５への充電制御および電源制御部２１２への給電制御の少なくともいずれかを行う。
【００２７】
電源制御部２１２は、電池検出回路、ＤＣ−ＤＣコンバータ等を有し、電池の装着の有無、電池の種類、電池残量の検出を行う。また、電源制御部２１２は、ＤＣ−ＤＣコンバータを制御し、電池１０５または充放電制御部２１１から出力される電力から必要な電圧を生成し、外部メモリ２０６を含む各構成要素に供給する制御を行う。
【００２８】
温度検出部２１３は、撮像装置１００の特定の部位の温度Ｔを検出する。特定の部位は、例えば、ユーザが触れる可能性のある操作部１０４またはその周辺部である。なお、特定の部位は、操作部１０４またはその周辺部に限らず、撮像装置１００の内部にある電池１０５またはその周辺部、電池１０５の発熱の影響を受けやすいＣＰＵ、ＭＰＵその他のプロセッサまたはその周辺部であってもよい。
【００２９】
動作モード判定部２１４は、システム制御部２０８の動作モードを判定する。動作モードは、例えば、静止画撮影モード、動画撮影モード、再生モード等を含む。
【００３０】
接続先判定部２１５は、ＵＳＢコネクタ１０８およびＵＳＢケーブル１０９を介して接続された給電機器１１０の種別、電力供給能力等を判定する。接続先機器の判定は給電機器１１０との通信により取得した情報を用いて行うが、特定の方法に限定されるものではない。
【００３１】
条件設定部２１６は、動画記録処理における記録条件（例：画質（解像度）、フレームレート）等を設定する。
【００３２】
モード切替スイッチ１０３は、システム制御部２０８の動作モードを静止画撮影モード、動画撮影モード、再生モード等のいずれかに切り替える。静止画撮影モードに含まれるモードとして、オートモード、オートシーン判別モード、マニュアルモード、シーン別の撮影設定となる各種シーンモード、プログラムＡＥモード、カスタムモード等がある。モード切替スイッチ１０３で、これらのモードのいずれかに直接切り替えられる。あるいは、モード切替スイッチ１０３で静止画撮影モードに一旦切り替えた後に、静止画撮影モードに含まれるこれらのモードのいずれかに、他の操作部材を用いて切り替えるようにしてもよい。同様に、動画撮影モードにも複数のモードが含まれていてもよい。
【００３３】
第１シャッタースイッチ１０２ａは、撮像装置１００に設けられたシャッタースイッチ１０２の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の撮影準備処理を開始する。
【００３４】
第２シャッタースイッチ１０２ｂは、シャッタースイッチ１０２の操作完了、いわゆる全押し（撮影指示）でオンとなり、第２シャッタースイッチ信号ＳＷ２を発生する。システム制御部２０８は、第２シャッタースイッチ信号ＳＷ２により、撮像部２０１からの信号読み出しから外部メモリ２０６に画像データを書き込むまでの一連の撮影処理を開始する。
【００３５】
操作部１０４の各操作部材は、表示部１０１に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン、再生ボタン等がある。例えば、メニューボタンが押されると各種の設定可能なメニュー画面が表示部１０１に表示される。ユーザは、表示部１０１に表示されたメニュー画面と、上下左右の４方向ボタンおよびＳＥＴボタンとを用いて直感的に各種設定を行うことができる。また、再生ボタンの押下に応じて再生モードへ切り替えることができる。
【００３６】
［実施形態１］以下、図１および図２に加えて、図３を用いて、実施形態１における電池１０５の充電制御方法について説明する。
【００３７】
実施形態１は、システム制御部２０８の動作モードが動画撮影モードであるか否かに基づき、ＵＳＢコネクタ１０８およびＵＳＢケーブルを介してＵＳＢ接続された給電機器１１０から受け取った電力を用いた電池１０５の充電を制御する方法の一例を説明する。
【００３８】
図３は、実施形態１における電池１０５の充電制御方法を説明するためのフローチャートである。
【００３９】
なお、図３のフローチャートの各処理は、不揮発性メモリ２０７に格納されたプログラムを、システムメモリ２０９に読み出してシステム制御部２０８が実行することにより実現される。システム制御部２０８は撮像装置１００に給電機器１１０が接続されたことを検出すると処理を開始する。
【００４０】
ステップＳ３０１において、システム制御部２０８は、接続検出部２１０において給電機器１１０が接続されたことを検出して、ステップＳ３０２へ進む。
【００４１】
ステップＳ３０２において、システム制御部２０８は、撮像装置１００の電源がＯＮ状態であるか否かを判定する。電源がＯＮ状態であると判定した場合はステップＳ３０３へ進み、ＯＮ状態でないと判定した場合はステップＳ３０５へ進む。
【００４２】
ステップＳ３０３において、システム制御部２０８は、システム制御部２０８の動作モードが動画撮影モードであるか否かを判定する。動画撮影モードであると判定した場合はステップＳ３０４へ進み、動画撮影モードでないと判定した場合はステップＳ３０５へ進む。
【００４３】
ステップＳ３０４において、システム制御部２０８は、給電機器１１０から受け取った電力を用いて電池１０５の充電は行わず、撮像装置１００の各構成要素への必要な給電を行うように充放電制御部２１１および電源制御部２１２を制御する（第１の制御）。なお、給電が不要な場合は行わなくてもよい。このように制御することで、動画撮影モードにおいて電池１０５の充電による発熱で動作制限を受け、動画記録時間が短縮されてしまうことを抑制できる。
【００４４】
ステップＳ３０５において、システム制御部２０８は、給電機器１１０から受け取った電力を用いて電池１０５の充電と撮像装置１００の各構成要素への必要な給電を行うように充放電制御部２１１および電源制御部２１２を制御する（第２の制御）。なお、給電機器１１０から受け取った電力が充電以外の給電を行うのに十分でない場合または給電が不要な場合は、給電は行わず充電のみを行ってもよい。このように動画撮影モードではない場合は、電池１０５の充電による発熱の影響を受けないので、電池１０５の充電とシステムへの給電を同時に行うことができる。
【００４５】
なお、ステップＳ３０４において電池１０５の充電を行わないとしたが、図４のステップＳ４０４で後述するように条件付きでの充電を許可してもよい。
【００４６】
以上の実施形態１によれば、システム制御部２０８の動作モードが動画撮影モードであるか否かに基づき、ＵＳＢ接続された給電機器１１０から受け取った電力を用いた電池１０５の充電を制御する。よって、撮像装置１００が電池１０５の充電による発熱で動作制限を受け、動画撮影モードにおける動画記録時間が短縮されてしまうことを抑制できる。
【００４７】
［実施形態２］以下、図１および図２に加えて、図４を用いて、実施形態２における電池１０５の充電制御方法について説明する。
【００４８】
実施形態２は、システム制御部２０８の動作モードが動画撮影モードであるか否かと撮像装置１００の温度Ｔとに基づき、ＵＳＢ接続された給電機器１１０から受け取った電力を用いた電池１０５の充電を制御する方法の一例を説明する。
【００４９】
図４は、実施形態２における電池１０５の充電制御方法を説明するためのフローチャートである。
【００５０】
なお、図３のフローチャートの各処理は、不揮発性メモリ２０７に格納されたプログラムを、システムメモリ２０９に読み出してシステム制御部２０８が実行することにより実現される。システム制御部２０８は撮像装置１００に給電機器１１０が接続されたことを検出すると処理を開始する。
【００５１】
なお、図４のステップＳ４０１からＳ４０３、Ｓ４０５、Ｓ４０７は、実施形態１の図３のステップＳ３０１からＳ３０５と同様の処理であるので説明を省略する。
【００５２】
ステップＳ４０４において、システム制御部２０８は、温度検出部２１３により検出された温度Ｔが所定の第１の温度以上であるか否かを判定する。第１の温度以上であると判定した場合はステップＳ４０５へ進み、第１の温度未満であると判定した場合はステップＳ４０６へ進む。
【００５３】
ステップＳ４０６において、システム制御部２０８は、給電機器１１０から受け取った電力を用いて電池１０５の条件付きの充電と撮像装置１００の各構成要素への必要な給電を行うように充放電制御部２１１および電源制御部２１２を制御する（第３の制御）。条件付きの充電においては、システム制御部２０８は、温度検出部２１３により検出された温度Ｔが所定の第１の温度未満である間は充電を継続し、所定の第１の温度以上となった時点で充電を停止するように制御する。なお、給電機器１１０から受け取った電力が充電以外の給電を行うのに十分でない場合または給電が不要な場合は、給電は行わず充電のみを行ってもよい。このように動画撮影モードの場合は撮像装置１００の温度Ｔが電池１０５の充電による発熱の影響を受けない第１の温度未満の状態でのみ電池１０５の充電を行う。なお、温度に関する閾値は、ユーザが不便に感じないような、動画撮影モードの制限温度に達するまでに十分マージンのある温度（例えば、３５℃）に設定される。
【００５４】
なお、ステップＳ４０４における第１の温度は撮像装置１００の動作制限温度等に応じて任意に設定が可能である。また、ステップＳ４０６において電池１０５の充電を継続する条件を第１の温度未満としたが、所定の時間充電を許可するなど別の条件としてもよい。
【００５５】
以上の実施形態２によれば、システム制御部２０８の動作モードが動画撮影モードであるか否かと撮像装置１００の温度Ｔとに基づき、ＵＳＢ接続された給電機器１１０から受け取った電力を用いた電池１０５の充電を制御する。よって、撮像装置１００が電池１０５の発熱による動作制限を受け、動画撮影モードにおける動画記録時間が短縮されてしまうことを抑制しながら効率よく充電することが可能となる。
【００５６】
［実施形態３］以下、図１および図２に加えて、図５および図６を用いて、実施形態３における電池１０５の充電制御方法について説明する。
【００５７】
実施形態３は、システム制御部２０８の動作モードが動画撮影モードであるか否かと給電機器１１０の電力供給能力とに基づき、ＵＳＢ接続された給電機器１１０から受け取った電力を用いた電池１０５の充電を制御する方法の一例を説明する。
【００５８】
図５は、実施形態３における給電機器１１０の種別と電力供給能力の関係の一例を示したテーブル５０１を示す図である。
【００５９】
図５に示すテーブル５０１は、電力供給能力を最大電力で示している。給電機器の種別がデバイスＡの場合、電力供給能力は２．５Ｗ（電圧５．０Ｖ、電流０．５Ａ）である。また、給電機器の種別がデバイスＢ、デバイスＣの場合、電力供給能力はそれぞれ４．５Ｗ（電圧５．０Ｖ、電流０．９Ａ）、７．５Ｗ（電圧５．０Ｖ、電流１．５Ａ）である。また、給電機器の種別がデバイスＤ、デバイスＥの場合、電力供給能力はそれぞれ１５Ｗ（電圧５．０Ｖ、電流３．０Ａ）、１００Ｗ（電圧２０Ｖ、電流５．０Ａ）である。給電機器の電力供給能力は接続先判定部２１５により判定される。なお、図５では、６種類の給電機器の種別を例示したが、これ以外のものであってもよい。また、電力供給能力を最大電力としたが、電流等で規定してもよい。
【００６０】
図６は、実施形態３における電池１０５の充電制御方法を説明するためのフローチャートである。
【００６１】
なお、図６のフローチャートの各処理は、不揮発性メモリ２０７に格納されたプログラムを、システムメモリ２０９に読み出してシステム制御部２０８が実行することにより実現される。システム制御部２０８は撮像装置１００に給電機器１１０が接続されたことを検出すると処理を開始する。
【００６２】
なお、図６のステップＳ６０１からＳ６０３、Ｓ６０９は、実施形態１の図３のステップＳ３０１からＳ３０３、Ｓ３０５と同様の処理であるので説明を省略する。
【００６３】
ステップＳ６０４において、システム制御部２０８は、接続先判定部２１５により判定された給電機器１１０の電力供給能力が所定の第１の電力値以上であるか否かを判定する。所定の第１の電力値以上であると判定した場合はステップＳ６０５へ進み、所定の第１の電力値未満であると判定した場合はステップＳ６０６へ進む。
【００６４】
ステップＳ６０５において、システム制御部２０８は、給電機器１１０から受け取った電力のうち第１の電力値よりも小さい第２の電力値を用いて電池１０５の充電を行うように充放電制御部２１１および電源制御部２１２を制御する（第４の制御）。また、システム制御部２０８は、第１の電力値から第２の電力値を差し引いた残りの電力を用いて撮像装置１００の各構成要素への必要な給電を行うように充放電制御部２１１および電源制御部２１２を制御する（第４の制御）。なお、給電が不要な場合は行わなくてもよい。なお、第２の電力値は、電池１０５の充電に必要な最低限の電力値である。このように給電機器から受け取った電力のうち充電に必要な最低限の電力を用いて充電を行うことで、撮像装置１００が電池１０５の発熱による動作制限を受けにくくし、動画撮影モードにおける動画記録時間が短縮されてしまうことを抑制できる。
【００６５】
ステップＳ６０６において、システム制御部２０８は、接続先判定部２１５により判定された給電機器１１０の電力供給能力が所定の第２の電力値以上であるか否かを判定する。第２の電力値以上であると判定した場合はステップＳ６０７へ進み、第２の電力値未満であると判定した場合はステップＳ６０８へ進む。
【００６６】
ステップＳ６０７において、システム制御部２０８は、給電機器１１０から受け取った電力のうち第２の電力値を用いて電池１０５の充電を行うように充放電制御部２１１および電源制御部２１２を制御する（第５の制御）。また、システム制御部２０８は、給電電力から第２の電力値を差し引いた電力では撮像装置１００への給電を行えないので、撮像装置１００の各構成要素への給電は行わないように充放電制御部２１１および電源制御部２１２を制御する（第５の制御）。
【００６７】
ステップＳ６０８において、システム制御部２０８は、給電機器１１０から受け取った電力が第２の電力値未満であるので充電電力を制限せずに電池１０５の充電を行うように充放電制御部２１１および電源制御部２１２を制御する（第６の制御）。また、システム制御部２０８は、給電電力から第２の電力値を差し引いた電力では撮像装置１００への給電を行えないので、撮像装置１００の各構成要素への給電は行わないように充放電制御部２１１および電源制御部２１２を制御する（第６の制御）。
【００６８】
なお、電力供給能力に関する閾値は、例えば、第１の電力値＝１５Ｗ、第２の電力値＝４．５Ｗに設定される。最低限の電力での充電を許容することで電池１０５の充電による発熱を抑制しながら、残りの電力で撮像装置１００への給電を行うことが可能となる。
【００６９】
なお、ステップＳ６０４、Ｓ６０６おける電力供給能力の閾値（第１の電力値、第２の電力値）は、電池１０５の充電性能に応じて任意に設定が可能である。また、ステップＳ６０５、Ｓ６０７では第２の電力値で充電を行うとしたが、任意の電力値としてよい。
【００７０】
以上の実施形態３によれば、システム制御部２０８の動作モードが動画撮影モードであるか否かと給電機器１１０の電力供給能力とに基づき、ＵＳＢ接続された給電機器１１０から受け取った電力うち最低限の電力を用いて電池１０５の充電を制御する。このように最低限の電力での電池１０５の充電を許容することで、撮像装置１００が電池１０５の発熱による動作制限を受けにくくし、動画撮影モードにおける動画記録時間が短縮されてしまうことを抑制しながら効率よく充電することが可能となる。
【００７１】
［実施形態４］以下、図１および図２に加えて、図７を用いて、実施形態４における電池１０５の充電制御方法について説明する。
【００７２】
実施形態４は、システム制御部２０８の動作モードが動画撮影モードであるか否かと動画記録処理における記録条件とに基づき、ＵＳＢ接続された給電機器１１０から受け取った電力を用いた電池１０５の充電を制御する方法の一例を説明する。
【００７３】
図７は、実施形態４における電池１０５の充電制御方法を説明するためのフローチャートである。
【００７４】
なお、図７のフローチャートの各処理は、不揮発性メモリ２０７に格納されたプログラムを、システムメモリ２０９に読み出してシステム制御部２０８が実行することにより実現される。システム制御部２０８は撮像装置１００に給電機器１１０が接続されたことを検出すると処理を開始する。
【００７５】
なお、図７のステップＳ６０１からＳ６０３、Ｓ７０６、Ｓ７１３は、実施形態１の図３のステップＳ３０１からＳ３０５と同様の処理であるので説明を省略する。
【００７６】
ステップＳ７０４において、システム制御部２０８は、条件設定部２１６により設定された画質（解像度）が第１の解像度以上に設定されているか否かを判定する。画質（解像度）が第１の解像度以上に設定されていると判定した場合はステップＳ７０５へ進み、第１の解像度未満に設定されていると判定した場合はステップＳ７０７へ進む。
【００７７】
ステップＳ７０５において、システム制御部２０８は、条件設定部２１６により設定されたフレームレートが第１のレート以上に設定されているか否かを判定する。フレームレートが第１のレート以上に設定されていると判定した場合はステップＳ７０６へ進み、第１のレート未満に設定されていると判定した場合はステップＳ７０９へ進む。
【００７８】
ステップＳ７０７において、システム制御部２０８は、条件設定部２１６により設定された画質（解像度）が第１の解像度よりも低い第２の解像度以上に設定されているか否かを判定する。画質（解像度）が第２の解像度以上に設定されていると判定した場合はステップＳ７０８へ進み、第２の解像度未満に設定されていると判定した場合はステップＳ７１０へ進む。
【００７９】
ステップＳ７０８において、システム制御部２０８は、条件設定部２１６により設定されたフレームレートが第１のレート以上に設定されているか否かを判定する。フレームレートが第１のレート以上に設定されていると判定した場合はステップＳ７０９へ進み、第１のレート未満に設定されていると判定した場合はステップＳ７１２へ進む。
【００８０】
ステップＳ７０９において、システム制御部２０８は、給電機器１１０から受け取った電力を用いて所定の第１の時間が経過するまで電池１０５の充電を行う。そして、第１の時間が経過した後は充電を停止するように充放電制御部２１１および電源制御部２１２を制御する（第７の制御）。また、システム制御部２０８は、残りの電力を用いて撮像装置１００の各構成要素への必要な給電を行うように充放電制御部２１１および電源制御部２１２を制御する（第７の制御）。なお、給電機器１１０から受け取った電力が充電以外の給電を行うのに十分でない場合または給電が不要な場合は、給電は行わず充電のみを行ってもよい。このように動画撮影モードの場合は画質（解像度）が第１の解像度以上の場合よりも動画記録処理による発熱が小さい第２の解像度以上の場合に所定の第１の時間だけ給電機器１１０から受け取った電力を用いた充電を行う。
【００８１】
ステップＳ７１０において、システム制御部２０８は、条件設定部２１６により設定された画質（解像度）が第２の解像度よりも低い第３の解像度以上に設定されているか否かを判定する。画質（解像度）が第３の解像度以上に設定されていると判定した場合はステップＳ７１１へ進み、第３の解像度未満に設定されていると判定した場合はステップＳ７１３へ進む。  ステップＳ７１１において、システム制御部２０８は、条件設定部２１６により設定されたフレームレートが第１のレート以上に設定されているか否かを判定する。フレームレートが第１のレート以上に設定されていると判定した場合はステップＳ７１２へ進み、第１のレート未満に設定されていると判定した場合はステップＳ７１３へ進む。
【００８２】
ステップＳ７１２において、システム制御部２０８は、給電機器１１０から受け取った電力を用いて所定の第１の時間より長い所定の第２の時間が経過するまで電池１０５の充電を行う。そして、第２の時間が経過した後は充電を停止するように充放電制御部２１１および電源制御部２１２を制御する（第８の制御）。また、システム制御部２０８は、残りの電力を用いて撮像装置１００の各構成要素への必要な給電を行うように充放電制御部２１１および電源制御部２１２を制御する（第８の制御）。なお、給電機器１１０から受け取った電力が充電以外の給電を行うのに十分でない場合または給電が不要な場合は、給電は行わず充電のみを行ってもよい。このように動画撮影モードの場合は画質（解像度）が第２の解像度以上の場合よりも動画記録処理による発熱が小さい第３の解像度以上の場合に所定の第１の時間よりも長い第２の時間だけ給電機器１１０から受け取った電力を用いた充電を行う。
【００８３】
なお、画質（解像度）に関する閾値は、例えば、第１の解像度が８Ｋ（７６８０×４３２０）、第２の解像度が４Ｋ（３８４０×２１６０）、第３の解像度がＦＵＬＬ  ＨＤ（１９２０×１０８０）に設定される。フレームレートに関する閾値は、例えば、第１のレートが６０ｆｐｓに設定される。
【００８４】
なお、図７では、動画記録処理における記録条件として画質（解像度）とフレームレートを例示したが、これ以外の設定項目としてもよい。また、画質とフレームレートの少なくともいずれかを判定してもよい。また、ステップＳ７０４、Ｓ７０７、Ｓ７１０における画質の閾値（第１の解像度、第２の解像度、第３の解像度）は、任意に設定が可能であり、閾値の数も変更可能である。また、ステップＳ７０５、Ｓ７０８、Ｓ７１１におけるフレームレートの閾値（第１のレート）は、任意に設定が可能であり、閾値の数も変更可能である。ステップＳ７０９、Ｓ７１２における充電時間（第１の時間、第２の時間）は任意に設定が可能である。また、温度等時間以外の条件を用いてもよい。
【００８５】
以上の実施形態４によれば、システム制御部２０８の動作モードが動画撮影モードであるか否かと動画記録処理における記録条件とに基づき、ＵＳＢ接続された給電機器１１０から受け取った電力を用いて電池１０５の充電を制御する。このように動画記録処理を実行するプロセッサ等の発熱が少ない時間だけ電池１０５の充電を許容することで、撮像装置１００が電池１０５の発熱その他の熱による動作制限を受けにくくなる。よって、動画撮影モードにおける動画記録時間が短縮されてしまうことを抑制しながら効率よく充電することが可能となる。
【００８６】
なお、本発明の実施形態は上述の実施形態１から４に限定されるものではない。発明の要旨を逸脱しない範囲で変更または修正された実施形態１から４も本発明の実施形態に含まれる。
【００８７】
上述した実施形態１から４では、システム制御部２０８の動作モードが動画撮影モードであるか否かに基づき電池１０５の充電を制御する方法を説明したが、これに限定されない。例えば、動画撮影モード以外の温度上昇に応じて動作制限を受ける動作モード、或いは、プロセッサの演算処理負荷が高い動作モード等、様々な動作モードに適用可能である。また、上述した実施形態２から４では、システム制御部２０８が動画撮影モードであるか否かに加えて温度、電力供給能力、動画記録処理における記録条件に基づいて電池の充電を制御する方法を説明したが、これらの条件の少なくとも２つを組み合わせてもよい。
【００８８】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８９】
１００…撮像装置、１０５…電池、１１０…給電機器、１０８…ＵＳＢコネクタ、１０９…ＵＳＢケーブル、２０８…システム制御部、２１１…充放電制御部、２１３…温度検出部、２１４…動作モード判定部、２１５…接続先判定部、２１６…条件設定部
【図１】
2019087891.tif 000003
【図２】
2019087891.tif 000004
【図３】
2019087891.tif 000005
【図４】
2019087891.tif 000006
【図５】
2019087891.tif 000007
【図６】
2019087891.tif 000008
【図７】
2019087891.tif 000009